(57)【要約】【課題】  本発明は、基板面に遊技機障害釘を有する遊技機の遊技機障害釘を調整する遊技機障害釘調整支援方法および遊技機障害釘調整支援装置に関するものである。【解決手段】  パチンコ球の時間当たりの通過数を検出することができる少なくとも一つのセンサがパチンコ台のガラス板上の真上または近傍に取り付けられる。センサの配置位置は、パチンコ台におけるパチンコ球の流れを知りたい位置で、パチンコ球の通過する道の上に全て配置される。前記センサは、パチンコ球の時間当たりの通過数を計測する。本発明は、パチンコ台におけるパチンコ球の流れを把握することができるため、遊技場の考え方に合った遊技機障害釘の調整の支援が容易にできるようになる。【選択図】  図１
2005095299.tif 000002
【特許請求の範囲】
【請求項１】
遊技機障害釘を基板面に備えている遊技機における遊技機障害釘を調整する遊技機障害釘調整支援方法において、
前記基板面上を通過するパチンコ球の通り道の近傍に少なくとも一つのセンサを配置し、
前記センサによってパチンコ球の時間当たりの通過数を計測し、
前記センサによって計測されたパチンコ球の時間当たりの通過数に基づいて遊技機障害釘の調整を支援することを特徴とする遊技機障害釘調整支援方法。
【請求項２】
遊技機障害釘を基板面に備えているとともに、前記遊技機障害釘をガラス枠に取り付けられたガラス板で覆っている遊技機における遊技機障害釘を調整する遊技機障害釘調整支援方法において、
前記ガラス枠に取り付けられたガラス板を通してパチンコ球の通過する道の上に少なくとも一つの光センサを配置し、
前記光センサによって前記パチンコ球から反射される光の変化により通過したパチンコ球の時間当たりの通過数を計測し、
前記センサによって計測されたパチンコ球の時間当たりの通過数に基づいて遊技機障害釘の調整を支援することを特徴とする遊技機障害釘調整支援方法。
【請求項３】
遊技機障害釘を基板面に備えている遊技機における遊技機障害釘を調整する遊技機障害釘調整支援装置において、
前記基板面上を通過するパチンコ球の通り道の近傍に配置されたパチンコ球の時間当たりの通過数を計測する少なくとも一つのセンサと、
前記センサによって計測されたパチンコ球の時間当たりの通過数をカウントする少なくとも一つのカウンタと、
前記カウンタによってカウントされたパチンコ球の時間当たりの通過数、および前記センサの配置位置を記憶する記憶手段と、
を少なくとも備えていることを特徴とする遊技機障害釘調整支援装置。
【請求項４】
遊技機障害釘を基板面に備えているとともに、前記遊技機障害釘をガラス枠に取り付けられたガラス板で覆っている遊技機における遊技機障害釘を調整する遊技機障害釘調整支援装置において、
前記ガラス枠に取り付けられたガラス板を通してパチンコ球の通過する道の上に配置され、通過した前記パチンコ球の光反射を検出する少なくとも一つの光センサと、
前記光センサによって計測されたパチンコ球の時間当たりの通過数をカウントする少なくとも一つのカウンタと、
前記カウンタによってカウントされたパチンコ球の時間当たりの通過数、および前記光センサの配置位置を記憶する記憶手段と、
を少なくとも備えていることを特徴とする遊技機障害釘調整支援装置。
【請求項５】
前記センサは、発光素子と受光素子とが一体になってガラス板上に設けられていることを特徴とする請求項３または請求項４に記載された遊技機障害釘調整支援装置。
【請求項６】
前記発光素子と受光素子との一対は、光ファイバーによってそれぞれパチンコ球が通過する近傍に導かれていることを特徴とする請求項３または請求項４に記載された遊技機障害釘調整支援装置。
【請求項７】
前記発光素子の照射角および前記受光素子の受光角を斜め方向とすることを特徴とする請求項３ないし請求項６のいずれか１項に記載された遊技機障害釘調整支援装置。
【請求項８】
前記センサは、磁性体を検出する磁気センサであることを特徴とする請求項３または請求項４に記載された遊技機障害釘調整支援装置。
【請求項９】
前記センサは、光電スイッチであることを特徴とする請求項３または請求項４に記載された遊技機障害釘調整支援装置。
【請求項１０】
前記センサは、ガラスに吸着する吸盤内に組み込まれていることを特徴とする請求項３ないし請求項９のいずれか１項に記載された遊技機障害釘調整支援装置。
【請求項１１】
遊技台枠に取り付けられたセンサ取り付け枠と、
前記センサ取り付け枠の縦方向または横方向へ移動可能に取り付けられた少なくとも一つの移動バーと、
前記移動バーに横方向または縦方向へ移動可能に取り付けられた少なくとも一つのセンサ取り付け部材と、
を少なくとも備えていることを特徴とする請求項３ないし請求項９のいずれか１項に記載された遊技機障害釘調整支援装置。
【請求項１２】
前記センサ取り付け枠および前記移動バーには、センサの取り付け位置が判る寸法が設けられていることを特徴とする請求項１１に記載された遊技機障害釘調整支援装置。
【請求項１３】
前記センサ取り付け枠におけるセンサの位置がパチンコ球の通過数とともにデータとして出力されることを特徴とする請求項１２に記載された遊技機障害釘調整支援装置。
【請求項１４】
パチンコ球の存在を感知する前記センサの出力信号は、閾値が設けられていることを特徴とする請求項３ないし請求項１３のいずれか１項に記載された遊技機障害釘調整支援装置。
【請求項１５】
前記記憶手段に記憶された少なくとも一つのセンサの位置と、当該センサによってパチンコ球の時間当たりの通過数とは、パチンコ基板とともにディスプレイに表示されることを特徴とする請求項３ないし請求項１４のいずれか１項に記載された遊技機障害釘調整支援装置。
【請求項１６】
前記パチンコ球の通過数は、ディスプレイに色によって表示することを特徴とする請求項１５に記載された遊技機障害釘調整支援装置。
【請求項１７】
遊技機障害釘を基板面に備えている遊技機における遊技機障害釘を調整する遊技機障害釘調整支援装置において、
前記遊技機の基板を撮像するＣＣＤカメラと、
前記ＣＣＤカメラで撮像された画像を認識する画像認識手段と、
前記画像認識手段によって認識された画像の中で、パチンコ球の通過する特定の位置におけるパチンコ球の通過を画像として検出する特定位置の画像検出手段と、
前記特定位置の画像検出手段によって検出された画像に基づいてパチンコ球の時間当たりの通過数をカウントするカウンタと、
前記カウンタによってカウントされたパチンコ球の時間当たりの通過数、および前記画像の位置を記憶する記憶手段と、
を少なくとも備えていることを特徴とする遊技機障害釘調整支援装置。
【請求項１８】
遊技機障害釘を基板面に備えているとともに、前記遊技機障害釘をガラス枠に取り付けられたガラス板で覆っている遊技機における遊技機障害釘を調整する遊技機障害釘調整支援装置において、
前記遊技機の基板を撮像するＣＣＤカメラと、
前記ＣＣＤカメラで撮像された画像を認識する画像認識手段と、
前記画像認識手段によって認識された画像の中で、パチンコ球の通過する特定の位置におけるパチンコ球の通過を画像として検出する特定位置の画像検出手段と、
前記特定位置の画像検出手段によって検出された画像と、予め記憶されているパチンコ球の画像と比較する比較手段と、
前記比較手段によって検出されたパチンコ球の画像に基づいて前記パチンコ球の時間当たりの通過数をカウントするカウンタと、
前記カウンタによってカウントされたパチンコ球の時間当たりの通過数、および前記画像の位置を記憶する記憶手段と、
を少なくとも備えていることを特徴とする遊技機障害釘調整支援装置。
【請求項１９】
前記ＣＣＤカメラは、遊技機の前に設置されていることを特徴とする請求項１７または請求項１８に記載された遊技機障害釘調整支援装置。
【発明の詳細な説明】
【技術分野】
【０００１】
本発明は、基板面に遊技機障害釘を有する遊技機の遊技機障害釘を調整する遊技機障害釘調整支援方法および遊技機障害釘調整支援装置に関するものである。本発明は、特に、パチンコ遊技機等における遊技機障害釘の調整を効率良く行うためのものである。本明細書において、前記パチンコ遊技機を単に遊技機障害釘を有する遊技機と記載する。
【背景技術】
【０００２】
遊技機用の遊技機障害釘は、基板面に数百本植設されており、１０本から２０本程度のパチンコ球が入賞するか否かを決定するいわゆる命釘、パチンコ球の通り道を決定する道釘、パチンコ球をジャンプさせて方向を転換させるジャンプ釘等からなる。
【０００３】
前記命釘、道釘、ジャンプ釘となる遊技機障害釘は、遊技機基板に対して、いろいろな方向や傾斜角度となるように曲げられて、遊技場と顧客の収益の調和が計られている。しかし、遊技機障害釘は、特殊な能力を持つ釘師の勘により、１００分の１ｍｍ程度の単位で調整が行われていた。前記釘師は、一人前になるのに、１０年から２０年以上かかるといわれている。
【０００４】
前記釘師は、前記遊技機障害釘の頭を左右前後方向（３６０度）に打つことにより、毎日のように、遊技基板に対する釘の方向と傾斜角度（財団法人保安電子通信技術協会では、「何時方向に何度」という表現を行っている。）が異なるように曲げて、パチンコ球の通過を難しくしたり、あるいは通過を容易にするように調整している。
【０００５】
前記遊技機障害釘の間隔は、遊技機障害釘の頭部を打ち、遊技基板に対する方向と傾斜角度を何時方向に何度というように変えることにより、前記遊技基板から高さ方向の中間部（５．５ｍｍの高さ）の内法寸法において、パチンコ球の直径部分（最厚部）が通過できるようにする必要がある。
【０００６】
遊技機障害釘間隔を調整する者は、たとえば、多数植設された遊技機障害釘の中の二本（前記命釘）に注目し、測定装置を当接して、その間隔（内法寸法）をアナログ的に測定する。しかし、前記測定者は、多数複雑な方向と傾斜角度で植設された遊技機障害釘の中で、前記測定装置をいくら上手に扱っても、上手に測定することができなかった。
【０００７】
すなわち、二本の遊技機障害釘間隔は、ゲージ（測定部分）の当て方で寸法が異なる。遊技基板の上には、遊技機障害釘が何時方向に何度とった具合に曲げられているため、遊技機障害釘の絶対角度を測定することが困難であった。
【０００８】
前記遊技機障害釘間隔の測定器は、たとえば、実開平３−３３３０２号公報に記載されているようなパチンコボール型の分割球が付いているもので、所定の高さ方向の間隔をアナログ的に測定するものがあった。また、遊技機障害釘間隔の測定器は、たとえば、特開平６−９８９７５号公報に記載されているようにディジタルデータとして測定できるものもある。
【０００９】
【特許文献１】実開平３−３３３０２号公報
【特許文献２】特開平６−９８９７５号公報
【発明の開示】
【発明が解決しようとする課題】
【００１０】
前述のように、前記遊技機障害釘間隔測定装置は、遊技機障害釘間隔を正確に測定することが困難であるだけでなく、遊技基板上で実際のパチンコ球の流れ方について知ることができない。すなわち、従来例における遊技機障害釘間隔測定装置は、パチンコ球が実際に流れている態様が判らないため、経験的に複数箇所の遊技機障害釘間隔を調整するようにしている。
【００１１】
従来の遊技機障害釘間隔調整は、データを多数集めることにより、また、勘を働かすことにより、遊技場と顧客の収益の調和が計られている。すなわち、従来の遊技機障害釘間隔は、当該遊技台のパチンコ球の流れを確実に把握することなく、勘に頼りながら、いわゆる命釘と思われるものに対する調整が行われていた。そのため、釘師は、不必要な遊技機障害釘を調整している場合もしばしばあった。
【００１２】
以上のような課題を解決するために、本発明は、遊技基板面のパチンコ球の流れを正確に把握することにより、不必要な遊技機障害釘の調整を無くし、短時間に効率よく遊技機障害釘を調整することができる遊技機障害釘調整支援方法および遊技機障害釘調整支援装置を提供することを目的とする。
【００１３】
本発明は、実際のパチンコ球の遊技基板面上の流れと、人間が把握していた遊技基板面上のパチンコ球の流れとのずれを修正することができる遊技機障害釘調整支援方法および遊技機障害釘調整支援装置を提供することを目的とする。本発明は、実際のパチンコ球の遊技基板面上の流れを把握することができるために、遊技機障害釘間隔を測定するのではなく、１本の遊技機障害釘の傾斜を変えるだけでも、パチンコ球を入賞口に入れたり、入り難くすることができる。
【課題を解決するための手段】
【００１４】
（第１発明）
第１発明の遊技機障害釘調整支援方法は、遊技機障害釘を基板面に備えている遊技機における遊技機障害釘を調整するものであり、前記基板面上を通過するパチンコ球の通り道の近傍に少なくとも一つのセンサを配置し、前記センサによってパチンコ球の時間当たりの通過数を計測し、前記センサによって計測されたパチンコ球の時間当たりの通過数に基づいて遊技機障害釘の調整を支援することを特徴とする。
【００１５】
（第２発明）
第２発明の遊技機障害釘調整支援方法は、遊技機障害釘を基板面に備えているとともに、前記遊技機障害釘をガラス枠に取り付けられたガラス板で覆っている遊技機における遊技機障害釘を調整するものであり、前記ガラス枠に取り付けられたガラス板を通してパチンコ球の通過する道の上に少なくとも一つの光センサを配置し、前記光センサによって前記パチンコ球から反射される光の変化により通過したパチンコ球の時間当たりの通過数を計測し、前記センサによって計測されたパチンコ球の時間当たりの通過数に基づいて遊技機障害釘の調整を支援することを特徴とする。
【００１６】
（第３発明）
第３発明の遊技機障害釘調整支援装置は、遊技機障害釘を基板面に備えている遊技機における遊技機障害釘を調整するものであり、前記基板面上を通過するパチンコ球の通り道の近傍に配置されたパチンコ球の時間当たりの通過数を計測する少なくとも一つのセンサと、前記センサによって計測されたパチンコ球の時間当たりの通過数をカウントする少なくとも一つのカウンタと、前記カウンタによってカウントされたパチンコ球の時間当たりの通過数、および前記センサの配置位置を記憶する記憶手段と、を少なくとも備えていることを特徴とする。
【００１７】
（第４発明）
第４発明の遊技機障害釘調整支援装置は、遊技機障害釘を基板面に備えているとともに、前記遊技機障害釘をガラス枠に取り付けられたガラス板で覆っている遊技機における遊技機障害釘を調整するものであり、前記ガラス枠に取り付けられたガラス板を通してパチンコ球の通過する道の上に配置され、通過した前記パチンコ球の光反射を検出する少なくとも一つの光センサと、前記光センサによって計測されたパチンコ球の時間当たりの通過数をカウントする少なくとも一つのカウンタと、前記カウンタによってカウントされたパチンコ球の時間当たりの通過数、および前記光センサの配置位置を記憶する記憶手段と、を少なくとも備えていることを特徴とする。
【００１８】
（第５発明）
第５発明の遊技機障害釘調整支援装置において、センサは、発光素子と受光素子とが一体になってガラス板上に設けられていることを特徴とする。
【００１９】
（第６発明）
第６発明の遊技機障害釘調整支援装置において、発光素子と受光素子との一対は、光ファイバーによってそれぞれパチンコ球の通過する近傍に導かれていることを特徴とする。
【００２０】
（第７発明）
第７発明の遊技機障害釘調整支援装置は、発光素子の照射角および受光素子の受光角を斜め方向とすることを特徴とする。
【００２１】
（第８発明）
第８発明の遊技機障害釘調整支援装置において、センサは、磁性体を検出する磁気センサであることを特徴とする。
【００２２】
（第９発明）
第９発明の遊技機障害釘調整支援装置において、センサは、光電スイッチであることを特徴とする。
【００２３】
（第１０発明）
第１０発明の遊技機障害釘調整支援装置において、センサは、ガラスに吸着する吸盤内に組み込まれていることを特徴とする。
【００２４】
（第１１発明）
第１１発明の遊技機障害釘調整支援装置は、遊技台枠に取り付けられたセンサ取り付け枠と、前記センサ取り付け枠の縦方向または横方向へ移動可能に取り付けられた少なくとも一つの移動バーと、前記移動バーに横方向または縦方向へ移動可能に取り付けられた少なくとも一つのセンサ取り付け部材と、を少なくとも備えていることを特徴とする。
【００２５】
（第１２発明）
第１２発明の遊技機障害釘調整支援装置において、センサ取り付け枠および移動バーには、センサの取り付け位置が判る寸法が設けられていることを特徴とする。
【００２６】
（第１３発明）
第１３発明の遊技機障害釘調整支援装置は、センサ取り付け枠におけるセンサの位置がパチンコ球の通過数とともにデータとして出力されることを特徴とする。
【００２７】
（第１４発明）
第１４発明の遊技機障害釘調整支援装置において、パチンコ球の存在を感知するセンサの出力信号は、閾値が設けられていることを特徴とする。
【００２８】
（第１５発明）
第１５発明の遊技機障害釘調整支援装置において、記憶手段に記憶された少なくとも一つのセンサの位置と、当該センサによってパチンコ球の時間当たりの通過数とは、パチンコ基板とともにディスプレイに表示されることを特徴とする。
【００２９】
（第１６発明）
第１６発明の遊技機障害釘調整支援装置において、パチンコ球の通過数は、ディスプレイに色によって表示することを特徴とする。
【００３０】
（第１７発明）
第１７発明の遊技機障害釘調整支援装置は、遊技機障害釘を基板面に備えている遊技機における遊技機障害釘を調整するものであり、前記遊技機の基板を撮像するＣＣＤカメラと、前記ＣＣＤカメラで撮像された画像を認識する画像認識手段と、前記画像認識手段によって認識された画像の中で、パチンコ球の通過する特定の位置におけるパチンコ球の通過を画像として検出する特定位置の画像検出手段と、前記特定位置の画像検出手段によって検出された画像に基づいてパチンコ球の時間当たりの通過数をカウントするカウンタと、前記カウンタによってカウントされたパチンコ球の時間当たりの通過数、および前記画像の位置を記憶する記憶手段と、を少なくとも備えていることを特徴とする。
【００３１】
（第１８発明）
第１８発明の遊技機障害釘調整支援装置は、遊技機障害釘を基板面に備えているとともに、前記遊技機障害釘をガラス枠に取り付けられたガラス板で覆っている遊技機における遊技機障害釘を調整するものであり、前記遊技機の基板を撮像するＣＣＤカメラと、前記ＣＣＤカメラで撮像された画像を認識する画像認識手段と、前記画像認識手段によって認識された画像の中で、パチンコ球の通過する特定の位置におけるパチンコ球の通過を画像として検出する特定位置の画像検出手段と、前記特定位置の画像検出手段によって検出された画像と、予め記憶されているパチンコ球の画像と比較する比較手段と、前記比較手段によって検出されたパチンコ球の画像に基づいて前記パチンコ球の時間当たりの通過数をカウントするカウンタと、前記カウンタによってカウントされたパチンコ球の時間当たりの通過数、および前記画像の位置を記憶する記憶手段と、を少なくとも備えていることを特徴とする。
【００３２】
（第１９発明）
第１９発明の遊技機障害釘調整支援装置において、ＣＣＤカメラは、遊技機の前に設置されていることを特徴とする。
【発明の効果】
【００３３】
本発明によれば、遊技基板面上におけるパチンコ球の実際の流れを把握することができるため、不必要な遊技機障害釘の調整を無くすことができ、効率の良い遊技機障害釘の調整を支援することが可能である。すなわち、本発明によれば、２本の遊技機障害釘間隔を測定してパチンコ球の流れを変えるのでなく、１本の遊技機障害釘を調整するだけでもパチンコ球の流れを変えることができる。
【００３４】
本発明によれば、遊技基板面上におけるパチンコ球の実際の流れを把握することができるため、重要な遊技機障害釘が発見し易く、効率的な遊技機障害釘の調整を支援することが可能である。
【００３５】
本発明によれば、遊技基板面上におけるパチンコ球の実際の流れを把握して、人間の感覚のずれを無くすことができるため、遊技場の方針にあった遊技機障害釘の調整を支援することが可能になる。
【発明を実施するための最良の形態】
【００３６】
（第１発明）
第１発明の遊技機障害釘調整支援方法は、遊技場を閉めた後、遊技機障害釘を調整する際に、パチンコ球の基板面上における流れを把握して、所定位置におけるパチンコ球の時間当たりの通過数をカウントすることにより、遊技機障害釘の傾斜角度の調整を効率的、かつ遊技場と利用者との調和を図るように調整するための支援方法である。
【００３７】
まず、パチンコ球の時間当たりの通過数を検出することができる少なくとも１個、好ましくは、複数個のセンサがパチンコ球の基板面上のパチンコ球の通り道の近傍、または前記基板を覆うガラス板の上に直接、あるいは、前記ガラス板から離して取り付けられる。センサの配置位置は、パチンコ台におけるパチンコ球の流れを知りたい位置で、パチンコ球の通過する道の上に全て配置される。前記センサは、パチンコ球の時間当たりの通過数を計測する。
【００３８】
所定位置に配置された前記センサによって計測された時間当たりのパチンコ球の通過数は、パチンコ球の流れを把握することができるため、遊技機障害釘の調整を必要とする遊技機障害釘が判り、効率的な遊技機障害釘の調整を支援することができる。また、当該パチンコ台におけるパチンコ球の流れを把握することができるため、遊技場の考え方に合った遊技機障害釘の調整の支援が容易にできるようになる。
【００３９】
（第２発明）
第２発明の遊技機障害釘調整支援方法は、パチンコ球の通過する道の近傍に取り付けられている少なくとも一つの光センサがガラス板の上に直接、あるいは、前記ガラス板から離して設けられる点で、第１発明と異なっている。前記パチンコ球からの反射光は、パチンコ球の通過により、光が遮られたことを検出する。  
【００４０】
前記パチンコ球に照射される光は、パチンコ球の球面により乱反射され、パチンコ球の通過を検出するとともに、パチンコ球の時間当たりの通過数を計測することができる。第２発明の遊技機障害釘調整支援方法は、パチンコ球の通過を正確に検出することができ、パチンコ球の時間当たりの通過数を確実に把握して、遊技機障害釘の調整を支援することができる。
【００４１】
（第３発明）
第３発明の遊技機障害釘調整支援装置は、パチンコ球の通過数を計測する少なくとも一つのセンサと、前記センサによって検出したパチンコ球の通過数をカウントするカウンタと、前記カウントされた時間当たりのパチンコ球の通過数、および前記センサのガラス板の上、あるいは、前記ガラス板を介して配置された配置位置を記憶する記憶手段とから構成されている。
【００４２】
前記センサは、パチンコ遊技機の基板面を覆うガラス板の上、あるいは、前記ガラス板を介して、かつ、パチンコ球の通過する道の上に設けられているとともに、パチンコ球の流れを知りたい位置にそれぞれ配置される。カウンタは、センサが配置された位置に、時間当たりのパチンコ球の通過数をカウントする。
【００４３】
前記記憶手段に記憶されたパチンコ球の通過数とセンサの位置は、遊技機障害釘を調整する際に、当該パチンコ台において、どの遊技機障害釘をどの程度調整すれば良いかの判断を適切に行うことを支援する。
【００４４】
（第４発明）
第４発明の遊技機障害釘調整支援装置は、パチンコ球の通過する道の近傍に少なくとも一つの光センサが設けられている点で第３発明と異なっている。前記少なくとも一つの光センサは、ガラス枠に取り付けられたガラス板の上に直接、あるいは、前記ガラス板から離して、パチンコ球の通過する道の上近傍に配置されている。
【００４５】
前記光センサは、通過したパチンコ球に照射される光が乱反射することで、パチンコ球の時間当たりの通過数を計測することができる。第４発明の遊技機障害釘調整支援装置は、パチンコ球の通過の有無を正確に検出することができ、パチンコ球の時間当たりの通過数を確実に把握して、遊技機障害釘の調整を支援することができる。
【００４６】
（第５発明）
第５発明におけるセンサは、発光素子、たとえば、発光ダイオード、ＬＥＤ等から発射された光がガラスの下面を通過する際のパチンコ球に当たり、反射した光を受光素子によって検出する。前記発光素子と受光素子は、一対が一体となるように構成されるため、遊技機障害釘の近傍を通過するパチンコ球の通過を正しく検出することができる。前記発光素子から発射された光は、パチンコ球に当たり、反射された後、前記受光素子によって受光され、パチンコ球が通過したことを検出する。
【００４７】
（第６発明）
前記発光素子と受光素子とは、一対ずつに構成されるとともに、一対の光ファイバーによってパチンコ球の通過する位置の近傍に導かれている。前記発光素子から発射された光は、一方の光ファイバーを通り、パチンコ球に照射された後、反射して他方の光ファイバーを通り、前記受光素子によって受光され、パチンコ球が通過したことを検出する。
【００４８】
（第７発明）
前記センサの入射角および受光角を斜め方向とすることによって、パチンコ球からの反射光が一点からのみにすることにより、パチンコ球の通過を正確に計測することができる。すなわち、パチンコ球の球面からの反射は、ほとんどが拡散し、入射した光が同じ方向に反射するのは一点である。
【００４９】
（第８発明）
第８発明におけるセンサは、磁性体を検出する磁気センサとすることができる。たとえば、微小コイル等を配置し、磁性体であるパチンコ球が通過した際に、前記コイルに電流を発生させることにより、前記パチンコ球を検出することができる。前記磁気センサは、その他公知のものを使用することができる。
【００５０】
（第９発明）
前記センサは、パチンコ球または反射板からの反射光の強さに応じて決まる距離に合わせた各種公知の光電スイッチを使用することができる。
【００５１】
（第１０発明）
前記センサは、パチンコ台のガラス板上に複数個が配置される場合があるだけでなく、遊技場における多数のパチンコ台についてそれぞれのパチンコ球の通過数により、パチンコ球の流れの特徴を把握するために、取り付けおよび取り外しが容易なように、ガラス板上に吸着する吸盤内に組み込まれている。
【００５２】
（第１１発明）
第１１発明は、センサを遊技機のガラス板上の任意の位置に配置するための取り付け装置である。遊技台枠には、センサ取り付け枠が着脱自在に取り付けられる。前記センサ取り付け枠には、縦方向または横方向へ移動可能な少なくとも一つの移動バーが取り付けられている。前記移動バーは、センサ取り付け枠を移動可能であり、かつ、所定位置に固定できる。
【００５３】
また、前記移動バーには、横方向または縦方向へ移動可能に取り付けられた少なくとも一つのセンサを取り付けるためのセンサ取り付け部材が設けられている。前記センサ取り付け部材は、センサを任意の位置に移動し、取り付けることができる。前記センサ取り付け枠におけるセンサは、ｘおよびｙ座標軸のいかなる位置にも取り付けることができる。
【００５４】
（第１２発明）
第１２発明は、少なくとも一つのセンサを遊技機のガラス板上に取り付けられた任意の位置が判るように、前記センサ取り付け枠および前記移動バーにセンサの取り付け寸法が刻印されている。前記センサは、数値的に座標軸のどの位置に配置されているかが判る。
【００５５】
（第１３発明）
第１３発明は、光ファイバーあるいはセンサをガラス基板とガラス基板の間に設けることができる。ガラス基板とガラス基板との間に設けられた光ファイバーまたはセンサは、予めパチンコ遊技機に取り付けられており、パチンコ球の通過数をリアルタイムで計測することができる。また、前記の様な構成は、当該パチンコ遊技機において、所定の位置におけるパチンコ球の通過をモニタすることができる。
【００５６】
（第１４発明）
第１４発明は、パチンコ遊技機の基板上に設けられた遊技機障害釘、役物、風車、ランプ等光から反射する乱反射光がセンサによって受光したり、あるいはマグネットまたは磁気による雑音を防止するために、パチンコ球の存在を感知する前記センサの出力信号を一定の閾値内のもののみを得るようにしている。
【００５７】
（第１５発明）
第１５発明は、センサの配置位置と、そのセンサによって検出したパチンコ球の数をディスプレイにそれぞれ表示できるようになっている。パチンコ球の通過状態の把握は、ディスプレイによって容易にできるため、遊技機障害釘は、前記ディスプレイの値を見て、適正に調整することを支援できる。
【００５８】
（第１６発明）
第１６発明は、パチンコ球の流れをディスプレイ上に色によって表示する。すなわち、第１６発明は、パチンコ球の複数の流れを視覚的および感覚的に把握することによって、遊技機障害釘の調整の支援を容易に行うことができる。
【００５９】
（第１７発明）
第１７発明は、ＣＣＤカメラによってパチンコ球の画像を撮像することによりパチンコ基板上でのパチンコ球の流れを把握して、遊技機における遊技機障害釘を調整するための遊技機障害釘調整支援装置である。すなわち、第１７発明は、ＣＣＤカメラと、画像認識手段と、特定位置の画像検出手段と、カウンタと、記憶手段とから構成されている。
【００６０】
前記ＣＣＤカメラは、基板上におけるパチンコ球の流れを撮像する。前記画像認識手段は、前記ＣＣＤカメラで撮像したパチンコ球を画像として認識する。前記特定位置の画像検出手段は、前記画像認識手段によって認識された画像の中で、パチンコ球の通過する特定の位置、たとえば、パチンコ球の流れを知りたい位置におけるパチンコ球の画像を検出する。
【００６１】
前記カウンタは、前記特定位置の画像検出手段によって検出された画像に基づいてパチンコ球の時間当たりの通過数をカウントする。記憶手段は、前記カウンタによってカウントされたパチンコ球の時間当たりの通過数および前記パチンコ球の通過した位置を同時に記憶しておく。
【００６２】
前記記憶手段には、記憶された少なくとも一つのパチンコ球が通過する特定の位置と、当該位置におけるパチンコ球の時間当たりの通過数が記憶されているため、前記情報を基にして、遊技機障害釘を調整することができる。
【００６３】
（第１８発明）
第１８発明は、特定位置の画像検出手段によって検出された画像と、予め記憶されているパチンコ球の画像と比較する比較手段を有する点で、第１８発明と異なっている。前記特定位置における画像検出手段は、予めＣＣＤカメラで撮像した特定位置におけるパチンコ球の画像と、現在通過中の前記特定位置におけるパチンコ球の画像とを比較することにより、パチンコ球が通過したか否かを正確に判断することができる。  
【００６４】
（第１９発明）
第１９発明は、非営業時に、パチンコ台の前に、たとえば、三脚等により設置するものである。パチンコ台が多数あっても、ＣＣＤカメラが取り付けられた三脚を移動するだけで済むため、安価な遊技機障害釘調整支援装置となる。
【実施例１】
【００６５】
図１は本発明の第一実施例であるパチンコ遊技機に対するパチンコ球の流れを図るための外観図である。図１において、符号１は、パチンコ遊技機の全体を示す。前記パチンコ遊技機１は、パチンコ遊技機機枠１１と、遊技基板を覆うガラス枠１２と、金枠１３と、上皿１４と、下皿１５と、ハンドル１６と、ガラス板上に吸着された吸盤１７ないし１７″とから少なくとも構成されている。
【００６６】
図１において、たとえば、発光ダイオードと受光素子が一体になっているセンサが吸盤１７ないし吸盤１７″を介してガラス板上に取り付けられた状態が示されている。図２は本発明の第一実施例であるパチンコ遊技機に対するセンサの配置と遊技基板面とを説明するための図である。ガラス板上に配置されたセンサは、遊技基板上に植設された遊技機障害釘の間を流れて来るパチンコ球の通過を検出する。
【００６７】
図３は本発明の第一実施例である遊技機障害釘調整支援装置を説明するための図である。図３において、遊技基板３１の板面は、真鍮の遊技機障害釘が多数植設されており、その中の二本の遊技機障害釘３２、３２′の間にパチンコ球３３が通過した状態を示している。    
【００６８】
前記遊技機障害釘３２、３２′等が多数植設された遊技基板３１は、ガラス板３４、３５によって覆われている。前記ガラス板３４の上には、センサ３７が取り付けられた吸盤３６が着脱自在に取り付けられる。センサ３７は、たとえば、光センサであり、発光素子、たとえば、発光ダイオード、ＬＥＤと受光素子の一対が一体に構成されている。
【００６９】
前記センサ３７は、吸盤３６に組み込むことにより、ガラス板３４の表面に着脱が可能であるため、パチンコ遊技台が異なっても同様に、パチンコ球の通過を知りたい場合に容易に取り付けることができる。前記センサ３７への信号、あるいはセンサ３７からの信号は、リード線３８を介して図示されていない記憶装置に接続されている。
【実施例２】
【００７０】
図４は本発明の第二実施例であるセンサ部分を説明するための図である。図４において、第二実施例は、センサ４１と吸盤４２の取り付けが第一実施例と異なっている。すなわち、センサ４１は、吸盤４２に対して直角に取り付けられている。たとえば、センサ４１は、磁気センサからなり、磁性体であるパチンコ球が通過する際に、これを検出して、信号としてリード線を介して記憶部に記憶される。
【００７１】
図３および図４に示すセンサ３７およびセンサ４１は、光ファイバー３８とすることもできる。図示されていない発光素子および受光素子は、前記光ファイバー３８に接続されている。前記発光素子からの光は、一方の光ファイバー３８を介し、その先端部から発射され、パチンコ球３３から反射した後、他方の光ファイバー３８を介して、受光素子に照射される。前記受光素子が光を受光したことにより、パチンコ球３３の通過を検出することができる。
【００７２】
図３および図４に示されていないが、パチンコ球３３が通過する遊技基板３１の一部には、反射板が設けられる。前記反射板は、光を反射し、センサ３７またはセンサ４１によって、反射光を検出している。前記センサ３７またはセンサ４１は、パチンコ球３３の通過により、光が乱反射して、光量が激減することを検出する。遊技基板３１は、全面を光が反射する部材とすることもできる。パチンコ球３３は、前記遊技基板３１を通過する際に、光が乱反射されることにより検出される。
【００７３】
前記反射板を設ける場合、あるいは設けない場合であっても、反射して戻って来る光信号の中には、いろいろな雑音を含むため、所定の閾値を設けておき、閾値内の信号のみをパチンコ球３３の通過であると判断するようにする。
【００７４】
図５は本発明を実施するために必要なブロックを説明するための図である。図５において、センサは、必要に応じて、１ないしｎまである。前記センサ５１１ないしセンサ５１ｎは、任意の必要個所に配置される。前記センサ５１１ないし５１ｎからの信号は、たとえば、光ファイバーを介して、アンプ５２により増幅される。
【００７５】
前記増幅された信号は、フィルタ５３を介することで、センサ５１１ないしセンサ５１ｎの拾った雑音を除去している。また、センサ５１１ないしセンサ５１ｎは、センサ自体の感度、あるいは、配置された場所の反射等によって異なるため、閾値設定手段５４が設けられている。  
【００７６】
前記閾値設定手段５４によって、ある一定値の範囲内にある信号は、パチンコ球が通過したことを検出して、カウンタ５５によってその数をカウントする。前記カウンタ５５は、時間当たりの通過数をカウントするためにタイマー５６を設けておくことができる。そして、記憶手段５７は、センサ５１１ないしセンサ５１ｎの設置位置と対応させてパチンコ球の通過数が記憶される。
【００７７】
前記記憶手段５７における情報は、ディスプレイ等に表示されたり、あるいは、コンピュータの演算手段（図示されていない）によって、必要な演算を行うことができる。また、前記ディスプレイには、ディジタルデータとして、あるいは、アナログデータとして表示することができ、パチンコ球の流れがディジタル的に、また、感覚的に把握することができるように色を付けて表示し、遊技機障害釘の調整を支援することができる。
【００７８】
図６は本発明の第三実施例であり、センサを遊技基板の座標軸上で移動させることができるセンサ取付枠を説明するための図で、（イ）は正面図、（ロ）は側面図、（ハ）は平面図である。図６（イ）ないし（ハ）において、センサ取付枠６１は、図１に示すパチンコ遊技機機枠１１に、図示されていない治具により、着脱自在に取り付けられる。
【００７９】
前記センサ取付枠６１の横方向枠６１１には、第１スリット６１２が設けられている。また、移動バー６２には、前記同様の第２スリット６２１が設けられている。前記移動バー６２は、取付ネジ６１３を緩めて、上下方向に移動させ、所望の位置で、両側から締めることにより、任意の位置に固定される。
【００８０】
前記移動バー６２は、取付部材６２３を緩めた状態で、センサを装着するとともに、横方向の所定位置に移動させた後、取付ネジ６２２を締めることにより、横方向の任意の位置に固定される。前記移動バー６２は、図６において、一本であるが、複数とすることで、複数のセンサが座標軸上の任意の位置に取り付けられる。
【００８１】
前記センサ取付枠６１および前記移動バー６２には、図示されていない寸法が目盛（刻印）られており、センサを配置する位置が座標軸として記憶手段に記憶させることができる。
【００８２】
図７は本発明の第四実施例であり、センサをガラス板とガラス板の間に設けた例を説明するための図である。図７において、センサ（光ファイバー）７１は、ガラス板３４とガラス板３５との間で、かつ、所定の遊技機障害釘３２、３２′の間の上部に、たとえば、接着剤等によって固定されている。
【００８３】
図８は本発明の第五実施例を説明するためのブロック構成図である。第五実施例は、遊技基板上を通過するパチンコ球の流れを検出する素子として、ＣＣＤカメラを使用する点で、第一実施例ないし第四実施例と異なっている。本出願人は、近年、ＣＣＤカメラが携帯電話に付けられ、普及している点に着目し、パチンコ球の流れを把握する遊技機障害釘調整支援方法およびその装置に応用することを考えた。
【００８４】
図８において、ＣＣＤカメラ８１は、たとえば、パチンコ台のガラス板越しにパチンコ球の流れを撮像する。画像認識手段８２は、公知の技術的手段を用いてＣＣＤカメラ８１によって撮像した画像を認識する。特定位置の画像検出手段８３は、前記画像認識手段８２によって認識された所望の特定位置の画像として認識するとともに、パチンコ球の通過数を検出する。
【００８５】
前記ＣＣＤカメラ８１によって撮像される画像には、パチンコ球以外のものが撮像されているため、パチンコ球のみを認識できるように閾値を設けておく。カウンタ８５は、前記画像の中から、パチンコ球だけをカウントするとともに、タイマー８６により時間当たりの通過数とする。
【００８６】
記憶手段８７は、前記パチンコ球の時間当たりの通過数と、ＣＣＤカメラ８１の位置を記憶させておき、遊技機障害釘を調整する際の支援とする。前記カウンタ８５は、ＣＣＤカメラ８１で撮像した画像の中から複数の特定位置におけるパチンコ球の数をカウントすることができるようになっている。
【００８７】
図９は本発明の第六実施例を説明するためのブロック構成図である。第六実施例は、比較手段９１およびパチンコ球画像記憶手段９２を備えている点で、第五実施例と異なっている。すなわち、第六実施例は、特定位置の画像検出手段８３によって検出された画像と、その位置におけるパチンコ球の画像が予め記憶されているパチンコ球画像記憶手段９２と比較することにより、パチンコ球が通過したことを検出するようになっている。
【００８８】
第六実施例の画像認識は、実際にパチンコ球が通過する場合の画像と比較するため、正確なパチンコ球の通過数をカウントすることができる。
【００８９】
ＣＣＤカメラ８１は、小型であるため、遊技機障害釘の間、あるいは遊技機障害釘のほぼ上部、役物、風車、ランプ等の遊技基板上に設置されている物に設けたり、隠れるように設けることもできる。さらに、ガラス板の間に設けることも可能である。ＣＣＤ受光部と光ファイバーを接続して、ＣＣＤカメラと画像処理手段等を別な所に設置することもできる。
【産業上の利用可能性】
【００９０】
以上、本発明の実施例を詳述したが、本発明は、前記実施例に限定されるものではない。そして、本発明は、特許請求の範囲に記載された事項を逸脱することがなければ、種々の設計変更を行うことが可能である。本実施例における役物等の配置、センサの配置等は、遊技機障害釘を備えた遊技機であれば、どのようなタイプのものにも適用できる。
【００９１】
また、実施例におけるブロックおよびセンサは、公知または周知の技術を使用することにより、本発明の遊技機障害釘調整支援方法および装置を達成することができる。本発明のセンサの配置位置は、ガラス板の上、またはガラス板を介した位置等で、パチンコ球の通過する近傍または上方等、パチンコ球の流れが判れば、必要に応じて、変えることができる。本発明のセンサの固定は、公知または周知の手段を使用することもできる。
【図面の簡単な説明】
【００９２】
【図１】本発明の第一実施例であるパチンコ遊技機に対するパチンコ球の流れを図るための外観図である。（第一実施例）
【図２】本発明の第一実施例であるパチンコ遊技機に対するセンサの配置と遊技基板面とを説明するための図である。（第一実施例）
【図３】本発明の第一実施例である遊技機障害釘調整支援装置を説明するための図である。（第一実施例）
【図４】本発明の第二実施例であるセンサ部分を説明するための図である。（第二実施例）
【図５】本発明を実施するために必要なブロックを説明するための図である。
【図６】本発明の第三実施例であり、センサを遊技基板の座標軸上で移動させることができるセンサ取付枠を説明するための図で、（イ）は正面図、（ロ）は側面図、（ハ）は平面図である。（第三実施例）
【図７】本発明の第四実施例であり、センサをガラス板とガラス板の間に設けた例を説明するための図である。（第四実施例）
【図８】本発明の第五実施例を説明するためのブロック構成図である。（第五実施例）
【図９】本発明の第六実施例を説明するためのブロック構成図である。（第六実施例）
【符号の説明】
【００９３】
１・・・パチンコ遊技機
１１・・・パチンコ遊技機機枠
１２・・・ガラス枠
１３・・・金枠
１４・・・上皿
１５・・・下皿
１６・・・ハンドル
１７、１７′、１７″・・・吸盤
３１・・・遊技基板
３２・・・遊技機障害釘
３３・・・パチンコ球
３４、３５・・・ガラス板
３６、４２・・・吸盤
３７、４１、５１１、５１２、５１ｎ・・・センサ
３８・・・光ファイバー（リード線）
５２・・・アンプ
５３・・・フィルタ
５４・・・閾値設定手段
５５・・・カウンタ
５６・・・タイマー
５７・・・記憶手段
８１・・・ＣＣＤカメラ
８２・・・画像認識手段
８３・・・特定位置の画像検出手段
８４・・・閾値設定手段
８５・・・カウンタ
８６・・・タイマー
８７・・・記憶手段
９１・・・比較手段
９２・・・パチンコ球画像記憶手段
【図１】
2005095299.tif 000003
【図２】
2005095299.tif 000004
【図３】
2005095299.tif 000005
【図４】
2005095299.tif 000006
【図５】
2005095299.tif 000007
【図６】
2005095299.tif 000008
【図７】
2005095299.tif 000009
【図８】
2005095299.tif 000010
【図９】
2005095299.tif 000011